(57)【要約】【課題】制御ユニットの装置本体に対する着脱作業の作業性の向上を図ることが可能であり、当該着脱作業時に挟み込まれることに起因したハーネスの断線を可及的に防止することが可能な電気機器を提供する。【解決手段】画像形成装置１において装置本体１Ａ内には、トナー供給ユニット７Ｕに沿うようにハーネスＨＮが配索されている。このハーネスＨＮの一端部に接続されたハーネスコネクタＨＮＣは、駆動ユニット１００Ｕの制御基板１００Ｐに付設された制御基板付設コネクタ１００Ｃに嵌入される。メンテナンス等による、駆動ユニット１００Ｕの装置本体１Ａに対する着脱作業において、制御基板付設コネクタ１００Ｃから取り外されたハーネスコネクタＨＮＣは、トナー供給ユニット７Ｕに組み付けられた仮保持部２００によって仮保持される。【選択図】図２
2019211533.tif 000002
【特許請求の範囲】
【請求項１】
装置本体と、
前記装置本体に装着され、所定の処理を実行する処理部を含む処理ユニットと、
前記装置本体内において前記処理ユニットに沿うように配索され、一端部に第１コネクタが接続されたハーネスと、
前記装置本体の前記処理ユニットと隣接する位置において着脱自在に装着され、前記第１コネクタが嵌入される第２コネクタが配置された制御ユニットと、
前記処理ユニットに組み付けられ、前記第２コネクタから取り外された前記第１コネクタの仮保持が可能な仮保持部と、を備える電気機器。
【請求項２】
前記仮保持部は、前記第１コネクタが嵌入可能な形状に形成されている、請求項１に記載の電気機器。
【請求項３】
前記仮保持部は、前記第２コネクタに対する前記第１コネクタの嵌入方向と同一方向からの、前記第１コネクタの嵌入が可能に構成されている、請求項２に記載の電気機器。
【請求項４】
前記処理ユニットは、前記装置本体に対して着脱自在に装着され、前記処理部が設置される処理ハウジングを含み、
前記ハーネスは、前記処理ハウジングの外面に沿って配索され、
前記仮保持部は、前記処理ハウジングの外面に組み付けられている、請求項１〜３のいずれか１項に記載の電気機器。
【請求項５】
前記電気機器は、画像形成装置である、請求項１〜４のいずれか１項に記載の電気機器。
【発明の詳細な説明】
【技術分野】
【０００１】
本発明は、装置本体内にハーネスが配索された画像形成装置等の電気機器に関する。
【背景技術】
【０００２】
電気機器の一例である画像形成装置として、装置本体に対して着脱自在に装着されるユニットを備えるものが知られている（例えば特許文献１参照）。前記ユニットとしては、所定の処理を実行する画像形成部や転写ベルトなどの処理部を含む処理ユニットが挙げられる。また、前記処理部を駆動させる駆動部と、当該駆動部を制御する制御基板とを含む駆動ユニット等の制御ユニットが、装置本体に対して着脱自在に装着されるように構成された画像形成装置も存在する。
【０００３】
画像形成装置の装置本体内には、駆動部に対する給電や、制御基板からの制御信号を伝送するための多数のハーネスが配索されている。ハーネスの一端部に設けられたコネクタと、制御ユニットに取り付けられたコネクタとが電気的に接続されることにより、ハーネスを介した駆動部に対する給電や制御基板からの制御信号の伝送が可能となる。
【先行技術文献】
【特許文献】
【０００４】
【特許文献１】特開２００５−１８９６６４号公報
【発明の概要】
【発明が解決しようとする課題】
【０００５】
上記のような画像形成装置では、メンテナンス等により制御ユニットを装置本体から取り外すときには、ハーネスのコネクタが制御ユニット側のコネクタから抜き取られる。制御ユニット側のコネクタから抜き取られたハーネスは、制御ユニットを装置本体から取り外す作業のときに邪魔になる。このため、制御ユニットを装置本体から取り外すときには、ハーネスを持ち上げながら作業を行う必要がある。同様に、制御ユニットを装置本体に装着するときにも、ハーネスを持ち上げながら作業を行う必要がある。つまり、制御ユニットの装置本体に対する着脱作業は、ハーネスを持ち上げながら行う必要があるため、作業性が非常に悪い状況である。また、制御ユニットの装置本体に対する着脱作業がハーネスを持ち上げずに行われた場合、ハーネスが制御ユニットと装置本体との間に挟み込まれて断線してしまう虞がある。
【０００６】
本発明は、このような事情に鑑みてなされたものであり、その目的とするところは、装置本体に対して着脱自在に装着される制御ユニットを備えた電気機器において、制御ユニットの装置本体に対する着脱作業の作業性の向上を図ることが可能であり、当該着脱作業時に挟み込まれることに起因したハーネスの断線を可及的に防止することが可能な電気機器を提供することにある。
【課題を解決するための手段】
【０００７】
本発明の一の局面に係る電気機器は、装置本体と、前記装置本体に装着され、所定の処理を実行する処理部を含む処理ユニットと、前記装置本体内において前記処理ユニットに沿うように配索され、一端部に第１コネクタが接続されたハーネスと、前記装置本体の前記処理ユニットと隣接する位置において着脱自在に装着され、前記第１コネクタが嵌入される第２コネクタが配置された制御ユニットと、前記処理ユニットに組み付けられ、前記第２コネクタから取り外された前記第１コネクタの仮保持が可能な仮保持部と、を備える。
【０００８】
この電気機器によれば、装置本体内には、処理ユニットに沿うようにハーネスが配索されている。このハーネスの一端部に接続された第１コネクタが、制御ユニットに配置された第２コネクタに嵌入されることにより、ハーネスを介した給電や制御信号の伝送等が可能となる。制御ユニットの装置本体に対する着脱作業において第２コネクタから取り外された第１コネクタは、処理ユニットに組み付けられた仮保持部によって仮保持される。これにより、制御ユニットの装置本体に対する着脱作業は、ハーネスを持ち上げながら行う必要がない。このため、制御ユニットの装置本体に対する着脱作業の作業性の向上を図ることができる。更に、第２コネクタから取り外された第１コネクタが仮保持部によって仮保持されているので、着脱作業においてハーネスが制御ユニットと装置本体との間に挟み込まれて断線してしまうことを可及的に防止することができる。
【０００９】
上記の電気機器において、前記仮保持部は、前記第１コネクタが嵌入可能な形状に形成されていることが望ましい。
【００１０】
この態様では、制御ユニットの装置本体に対する着脱作業において第２コネクタから取り外された第１コネクタは、仮保持部に嵌入された状態で仮保持される。
【００１１】
上記の電気機器において、前記仮保持部は、前記第２コネクタに対する前記第１コネクタの嵌入方向と同一方向からの、前記第１コネクタの嵌入が可能に構成されていることが望ましい。
【００１２】
この態様では、第２コネクタから取り外された第１コネクタを仮保持部に仮保持させる際に、第２コネクタに対する嵌入方向と同一方向から仮保持部に嵌入させればよい。このため、第１コネクタを仮保持部に嵌入させて仮保持させる作業が容易なものとなる。
【００１３】
上記の電気機器において、前記処理ユニットは、前記装置本体に対して着脱自在に装着され、前記処理部が設置される処理ハウジングを含み、前記ハーネスは、前記処理ハウジングの外面に沿って配索され、前記仮保持部は、前記処理ハウジングの外面に組み付けられていることが望ましい。
【００１４】
この態様では、制御ユニットの装置本体に対する着脱作業において第２コネクタから取り外された第１コネクタは、処理ユニットの処理ハウジングの外面に組み付けられた仮保持部によって仮保持される。
【００１５】
上記の電気機器は、画像形成装置であることが望ましい。この電気機器としての画像形成装置では、制御ユニットの装置本体に対する着脱作業の作業性の向上を図ることが可能であり、当該着脱作業時に挟み込まれることに起因したハーネスの断線を可及的に防止することが可能となる。
【発明の効果】
【００１６】
本発明によれば、制御ユニットの装置本体に対する着脱作業の作業性の向上を図ることが可能であり、当該着脱作業時に挟み込まれることに起因したハーネスの断線を可及的に防止することが可能な電気機器を提供することができる。
【図面の簡単な説明】
【００１７】
【図１】本発明の一実施形態に係る電気機器としての一例である画像形成装置の内部構造を概略的に示す断面図である。
【図２】画像形成装置の装置本体に装着された駆動ユニットの近傍を拡大して示す斜視図である。
【図３】装置本体内に配索されたハーネスのハーネスコネクタが仮保持部に仮保持された状態を示す斜視図である。
【図４】装置本体から駆動ユニットが取り外された状態を示す斜視図である。
【図５】ハーネスのハーネスコネクタを拡大して示す斜視図である。
【図６】仮保持部を拡大して示す斜視図である。
【図７】ハーネスのハーネスコネクタが仮保持部に嵌入された状態を示す斜視図である。
【図８】ハーネスのハーネスコネクタが仮保持部に嵌入された状態を示す断面図である。
【発明を実施するための形態】
【００１８】
以下、本発明に係る実施形態について図面を参照しながら説明する。図１は、画像形成装置１の内部構造を概略的に示す断面図である。図１の画像形成装置１は、電気機器の一例であり、例えばカラープリンターとして構成されている。画像形成装置１は、当該画像形成装置１の内部空間を画定する装置本体１Ａを含む。画像形成装置１は、マゼンタ（Ｍ），シアン（Ｃ），イエロー（Ｙ），ブラック（Ｋ）の各色別の画像形成部２（２Ｍ，２Ｃ，２Ｙ，２Ｋ）を装置本体１Ａ内において含むタンデム式のものである。
【００１９】
各画像形成部２Ｍ，２Ｃ，２Ｙ，２Ｋは、現像装置３、感光体ドラム４、帯電器５及びクリーナー２１を含む。画像形成部２の下方には、露光ユニット６が設けられている。また、画像形成部２の上方には、転写ベルト装置２０が設けられている。転写ベルト装置２０のさらに上方には、トナー供給部７を含むトナー供給ユニット７Ｕが設けられている。
【００２０】
各画像形成部２Ｍ，２Ｃ，２Ｙ，２Ｋの感光体ドラム４は、後述する転写ベルト装置２０の下方位置で転写ベルト８の外表面に接触した状態で配設されている。転写ベルト８の回転方向Ｂ（図１では反時計回りの方向）の上流側から、マゼンタ用感光体ドラム４、シアン用感光体ドラム４、イエロー用感光体ドラム４及びブラック用感光体ドラム４が並設されている。感光体ドラム４は、図１における時計回りの方向（図示のＡ方向）に回転する。
【００２１】
帯電器５は、感光体ドラム４の周面を一様に帯電する。露光ユニット６は、外部のパーソナルコンピュータ等から入力された原稿画像データに基づくレーザ光を感光体ドラム４の周面に導くポリゴンミラー６ａを有している。ポリゴンミラー６ａは、図略のポリゴンモータによって回転しつつ、各感光体ドラム４の周面上にレーザ光を走査して、前記周面に静電潜像を形成する。
【００２２】
トナー供給ユニット７Ｕのトナー供給部７は、マゼンタ，シアン，イエロー，ブラックの各色のトナーを貯蔵する。トナー供給部７は、現像装置３に各色のトナーを供給する処理を実行する処理部である。このトナー供給部７を含むトナー供給ユニット７Ｕは、装置本体１Ａに対して着脱自在に装着される処理ユニットの一例である。
【００２３】
現像装置３は、トナー供給部７から供給される各色のトナーを対応する感光体ドラム４に供給する。静電潜像が形成された感光体ドラム４に現像装置４からトナーが供給されると、トナーが静電潜像に付着して、感光体ドラム４にトナー像が形成される。現像装置３は、トナーとキャリア（磁性体）とからなる現像剤を貯留する貯留部３２と、感光体ドラム４に対向して配置された現像ローラ３１とを含む。現像ローラ３１は、例えば、その表面がアルミ等の非磁性材料から構成される円筒状の現像スリーブである。現像スリーブの内部には、磁石材料等が配設されている。現像剤は、磁石材料の磁力で現像ローラ３１の表面に吸着され、現像ローラ３１が所定の方向に回転することで、現像剤のトナーのみが感光体ドラム４の表面に移動する。
【００２４】
転写ベルト装置２０は、駆動ローラ１１と、従動ローラ１０と、駆動ローラ１１及び従動ローラ１０間に張設された転写ベルト８とを含む。転写ベルト８は、外表面が感光体ドラム４の周面に接触した状態となるように従動ローラ１０と駆動ローラ１１との間に張設されている。また、転写ベルト８は、テンションローラ１９によって上方に付勢されている。駆動ローラ１１は、図略の駆動源による駆動力を受けて回転して、転写ベルト８を回転方向Ｂ（反時計回りの方向）に回転駆動させる。従動ローラ１０は、転写ベルト８の回転によって従動回転する。画像形成部２と転写ベルト装置２０とは、ユニット化されて画像形成ユニット２Ｕとして構成されている。画像形成ユニット２Ｕは、装置本体１Ａに対して着脱自在であり、メンテナンス等の際には装置本体１Ａ内から引き出すことができる。
【００２５】
感光体ドラム４の対向位置には、１次転写ローラ９が転写ベルト８の内表面に接触した状態で転写ベルト８を挟んで配置されている。１次転写ローラ９は、転写ベルト８の回転により従動回転するローラであって、感光体ドラム４とで転写ベルト８をニップして、感光体ドラム４に形成された各色のトナー像を転写ベルト８に１次転写させる１次転写部Ｔを構成する。１次転写部Ｔにおいて、転写ベルト８に各色のトナー像が感光体ドラム４から多重転写される。これにより、転写ベルト８にはカラーのトナー像が形成される。
【００２６】
転写ベルト８は、駆動ローラ１１に巻回されている部位が屈曲した状態となっており、この屈曲部位には、転写ベルト８を挟んで駆動ローラ１１に対向する２次転写ローラ１８が設けられている。駆動ローラ１１及び２次転写ローラ１８は、それらの間でニップ部を形成しており、このニップ部は、２次転写位置Ｓとして設定されている。後述する給紙カセット１２からのシートＰが２次転写位置Ｓを通過することで、転写ベルト８に１次転写されたトナー像がシートＰに２次転写される。
【００２７】
２次転写位置Ｓの上方には、定着ユニット１４が設けられている。定着ユニット１４は、２次転写位置Ｓにおいてトナー像の２次転写が施されたシートＰに対して定着処理を施すものである。定着ユニット１４は、一対の定着ローラ１４１を含み、シートＰを加熱しつつ、定着ローラ１４１間でニップすることで、２次転写されたトナー像をシートＰ上に定着させる。
【００２８】
２次転写位置Ｓの下方には、一対のレジストローラ１７が配設されている。レジストローラ１７は、シートＰを２次転写位置Ｓに向けて適切なタイミングで搬送すると共に、シートＰの斜め送りを修正する。
【００２９】
露光ユニット６の下方位置には、シートＰの束を収納する給紙カセット１２が装置本体１Ａに対して挿脱自在に配置されている。給紙カセット１２と２次転写位置Ｓとの間には、シートＰを給紙カセット１２から２次転写位置Ｓまで案内するシート搬送路１３が設けられている。シート搬送路１３には、上述のレジストローラ１７が配設されている。また、シート搬送路１３には、レジストローラ１７の他に、シートＰを案内するための複数のローラ対が適所に配設されている。
【００３０】
装置本体１Ａの上面には、定着ユニット１４によって定着処理が施されたシートＰが排出される排出部１６が形成されており、排出部１６と定着ユニット１４との間には、シートＰを案内するためのシート排出路１５が設けられている。シート排出路１５にも、シートＰを搬送するためのローラ対が適所に配設されている。
【００３１】
画像形成装置１は、図２〜図４に示すように、装置本体１Ａに対して着脱自在に装着される駆動ユニット１００Ｕと、装置本体１Ａ内に配索されるハーネスＨＮと、仮保持部２００とを、更に備える。図２は、装置本体１Ａに装着された駆動ユニット１００Ｕの近傍を拡大して示す斜視図である。図３は、装置本体１Ａ内に配索されたハーネスＨＮのハーネスコネクタＨＮＣが仮保持部２００に仮保持された状態を示す斜視図である。図４は、装置本体１Ａから駆動ユニット１００Ｕが取り外された状態を示す斜視図である。
【００３２】
前述の処理ユニットとしてのトナー供給ユニット７Ｕは、処理部としてのトナー供給部７が設置される処理ハウジング７Ｈを含む。トナー供給ユニット７Ｕは、トナー供給部７と、トナー供給部７を駆動させる駆動部７Ｍ（駆動モータ）とが、処理ハウジング７Ｈ内に設置されてなる。このトナー供給ユニット７Ｕは、装置本体１Ａに対して着脱自在に装着される。
【００３３】
駆動ユニット１００Ｕは、制御ユニットの一例であって、装置本体１Ａのトナー供給ユニット７Ｕと下方側に隣接する位置において着脱自在に装着される。駆動ユニット１００Ｕは、装置本体１Ａに装着された状態において、画像形成ユニット２Ｕを側方から覆うように配置される。駆動ユニット１００Ｕは、画像形成部２を駆動させる駆動部１００Ｍ（駆動モータ）と、駆動部１００Ｍ及び前記駆動部７Ｍを制御する制御基板１００Ｐと、駆動ハウジング１００Ｈとを含む。駆動ユニット１００Ｕにおいては、駆動部１００Ｍと制御基板１００Ｐとが駆動ハウジング１００Ｈに設置されている。つまり、駆動ユニット１００Ｕは、駆動部１００Ｍと制御基板１００Ｐとが駆動ハウジング１００Ｈに設置されてなる。なお、制御基板１００Ｐには、駆動ハウジング１００Ｈ内に配索されて駆動部１００Ｍに接続された不図示のハーネスと電気的に接続される雌型のコネクタ１００Ｃが、付設されている。制御基板１００Ｐに付設されるコネクタ１００Ｃは、後述のハーネスＨＮの一端部に接続されたハーネスコネクタＨＮＣ（第１コネクタ）が嵌入される第２コネクタの一例であり、以下では「制御基板付設コネクタ１００Ｃ」と称する。なお、制御ユニットの駆動ユニット１００Ｕ以外の他の例としては、制御基板のみが配設されたユニット、シートやトナー残量等を検知する検知センサが配設されたユニットなどが挙げられる。
【００３４】
ハーネスＨＮは、駆動ユニット１００Ｕの駆動部１００Ｍに対する給電や、制御基板１００Ｐからの制御信号を伝送するための複数の電線材が束ねられた所定の長さを有するハーネス材であり、一端部にハーネスコネクタＨＮＣが接続されている。ハーネスＨＮは、装置本体１Ａ内においてトナー供給ユニット７Ｕに沿うように配索されている。具体的には、ハーネスＨＮは、トナー供給ユニット７Ｕにおける処理ハウジング７Ｈの外面において、駆動ユニット１００Ｕの制御基板１００Ｐと略同一平面上に位置する特定面７ＨＳに沿うように配索される。このとき、ハーネスＨＮの長手方向の中間部分は、処理ハウジング７Ｈの特定面７ＨＳに設けられた複数の係止部７Ｌによって係止されている。これにより、ハーネスＨＮは、装置本体１Ａ内において処理ハウジング７Ｈの特定面７ＨＳに沿って配索される。
【００３５】
ハーネスＨＮの一端部に設けられたハーネスコネクタＨＮＣが、駆動ユニット１００Ｕの制御基板１００Ｐに付設された制御基板付設コネクタ１００Ｃに嵌入されることにより、ハーネスＨＮを介した駆動部１００Ｍに対する給電や制御基板１００Ｐからの制御信号の伝送が可能となる。
【００３６】
図５は、ハーネスＨＮのハーネスコネクタＨＮＣを拡大して示す斜視図である。ハーネスコネクタＨＮＣは、制御基板付設コネクタ１００Ｃに嵌入可能な雄型のコネクタであって、例えばＣＺＷコネクタである。ハーネスコネクタＨＮＣは、図５に示すように、略直方体形状に形成されており、短手方向を規定する一対の面のうちの一方の面に第１係合突起Ｃ１を有し、他方の面に２つの第２係合突起Ｃ２を有している。更に、ハーネスコネクタＨＮＣは、長手方向を規定する一対の面の双方に複数の第３係合突起Ｃ３をそれぞれ有している。また、ハーネスコネクタＨＮＣは、ハーネスＨＮが接続される側とは反対側に平坦な平坦面Ｃ４を有している。
【００３７】
次に、トナー供給ユニット７Ｕの処理ハウジング７Ｈの外面における特定面７ＨＳには、仮保持部２００が組み付けられている（図２〜図４参照）。装置本体１Ａに駆動ユニット１００Ｕが装着された状態（図２及び図３の状態）において、仮保持部２００は、特定面７ＨＳ内の、制御基板１００Ｐに付設された制御基板付設コネクタ１００Ｃの近傍、より詳しくは制御基板付設コネクタ１００Ｃの直上に組み付けられている。仮保持部２００は、制御基板付設コネクタ１００Ｃから取り外されたハーネスコネクタＨＮＣの仮保持が可能に構成されている。
【００３８】
画像形成装置１において装置本体１Ａ内には、トナー供給ユニット７Ｕにおける処理ハウジング７Ｈの特定面７ＨＳに沿うようにハーネスＨＮが配索されている。このハーネスＨＮの一端部に接続されたハーネスコネクタＨＮＣが、駆動ユニット１００Ｕの制御基板１００Ｐに付設された制御基板付設コネクタ１００Ｃに嵌入されることにより、ハーネスＨＮを介した駆動部１００Ｍに対する給電や制御基板１００Ｐからの制御信号の伝送が可能となる。
【００３９】
メンテナンス等による、駆動ユニット１００Ｕの装置本体１Ａに対する着脱作業において、制御基板付設コネクタ１００Ｃから取り外されたハーネスコネクタＨＮＣは、トナー供給ユニット７Ｕに組み付けられた仮保持部２００によって仮保持される。これにより、駆動ユニット１００Ｕの装置本体１Ａに対する着脱作業は、ハーネスＨＮを持ち上げながら行う必要がない。このため、駆動ユニット１００Ｕの装置本体１Ａに対する着脱作業の作業性の向上を図ることができる。更に、制御基板付設コネクタ１００Ｃから取り外されたハーネスコネクタＨＮＣが仮保持部２００によって仮保持されているので、着脱作業においてハーネスＨＮが駆動ユニット１００Ｕと装置本体１Ａとの間に挟み込まれて断線してしまうことを可及的に防止することができる。
【００４０】
また、本実施形態では、仮保持部２００は、ハーネスコネクタＨＮＣが嵌入可能な形状に形成されている。駆動ユニット１００Ｕの装置本体１Ａに対する着脱作業において制御基板付設コネクタ１００Ｃから取り外されたハーネスコネクタＨＮＣは、仮保持部２００に嵌入された状態で仮保持される。
【００４１】
仮保持部２００の形状、並びに、ハーネスコネクタＨＮＣが仮保持部２００に嵌入された状態について、図６〜図８を参照して説明する。図６は、仮保持部２００を拡大して示す斜視図である。図７及び図８は、ハーネスＨＮのハーネスコネクタＨＮＣが仮保持部２００に嵌入された状態を示す図であって、図７が斜視図であり、図８が断面図である。
【００４２】
図６に示すように、仮保持部２００は、略直方体形状の雄型のハーネスコネクタＨＮＣの嵌入が可能となるように、ハーネスコネクタＨＮＣに対応した直方体形状の凹部２００Ａを有する。凹部２００Ａは、当該凹部２００Ａの底部を規定する底面２０５の端縁から立設された第１壁部２０１、第２壁部２０２、第３壁部２０３及び第４壁部２０４によって画定される。第１壁部２０１と第２壁部２０２とは凹部２００Ａの短手方向に延びる壁部であり、第３壁部２０３と第４壁部２０４とは凹部２００Ａの長手方向に延びる壁部である。
【００４３】
第１壁部２０１の内面には、ハーネスコネクタＨＮＣの第１係合突起Ｃ１と係合可能な第１係合溝２０１Ｃが形成されている。第２壁部２０２の内面には、ハーネスコネクタＨＮＣの２つの第２係合突起Ｃ２と係合可能な２つの第２係合溝２０２Ｃが形成されている。仮保持部２００の凹部２００Ａ内にハーネスコネクタＨＮＣが嵌入された状態では、第１係合突起Ｃ１が第１係合溝２０１Ｃに係合し、第２係合突起Ｃ２が第２係合溝２０２Ｃに係合する。更に、仮保持部２００の凹部２００Ａ内にハーネスコネクタＨＮＣが嵌入された状態では、第３壁部２０３及び第４壁部２０４の内面にはハーネスコネクタＨＮＣの各第３係合突起Ｃ３がそれぞれ当接し、凹部２００Ａの底面２０５にハーネスコネクタＨＮＣの平坦面Ｃ４が当接する（図８参照）。駆動ユニット１００Ｕの装置本体１Ａに対する着脱作業において制御基板付設コネクタ１００Ｃから取り外されたハーネスコネクタＨＮＣは、仮保持部２００の凹部２００Ａ内に嵌入された状態で仮保持される。
【００４４】
また、前述したように、仮保持部２００は、トナー供給ユニット７Ｕにおける処理ハウジング７Ｈの外面において、ハーネスＨＮが配索される特定面７ＨＳに組み付けられている。この処理ハウジング７Ｈの特定面７ＨＳは、制御基板付設コネクタ１００Ｃが付設された制御基板１００Ｐと略同一平面上に位置している。このため、駆動ユニット１００Ｕの装置本体１Ａに対する着脱作業において、制御基板付設コネクタ１００Ｃから取り外されたハーネスコネクタＨＮＣの仮保持部２００に対する嵌入方向Ｄ２（図３）は、制御基板付設コネクタ１００Ｃに対するハーネスコネクタＨＮＣの嵌入方向Ｄ１（図２）と同一方向となる。換言すると、仮保持部２００は、制御基板付設コネクタ１００Ｃに対するハーネスコネクタＨＮＣの嵌入方向Ｄ１と同一方向（Ｄ２）からの、ハーネスコネクタＨＮＣの嵌入が可能に構成されている。この構成では、制御基板付設コネクタ１００Ｃから取り外されたハーネスコネクタＨＮＣを仮保持部２００に仮保持させる際に、制御基板付設コネクタ１００Ｃに対する嵌入方向Ｄ１と同一方向（Ｄ２）から仮保持部２００に嵌入させればよい。このため、ハーネスコネクタＨＮＣを仮保持部２００に嵌入させて仮保持させる作業が容易なものとなる。
【符号の説明】
【００４５】
１  画像形成装置（電気機器）
１Ａ  装置本体
２  画像形成部
７  トナー供給部（処理部）
７Ｕ  トナー供給ユニット（処理ユニット）
７Ｈ  処理ハウジング
１００Ｕ  駆動ユニット（制御ユニット）
１００Ｈ  駆動ハウジング
１００Ｍ  駆動部
１００Ｐ  制御基板
１００Ｃ  制御基板付設コネクタ（第２コネクタ）
２００  仮保持部
ＨＮ  ハーネス
ＨＮＣ  ハーネスコネクタ（第１コネクタ）
【図１】
2019211533.tif 000003
【図２】
2019211533.tif 000004
【図３】
2019211533.tif 000005
【図４】
2019211533.tif 000006
【図５】
2019211533.tif 000007
【図６】
2019211533.tif 000008
【図７】
2019211533.tif 000009
【図８】
2019211533.tif 000010